(57)【要約】【課題】蓋板の交換を容易に行うことが可能であっても、カードの不正な抜取りを防止することが可能なカード収容カセットを提供する。【解決手段】このカード収容カセットは、蓋板２４が開閉可能となるように側板２３と蓋板２４とを連結するヒンジ部３５を備えている。ヒンジ部３５は、蓋板２４の回動中心となるヒンジ軸３８を備え、側板２３には、軸挿通孔２６ｂが形成される軸保持部２６ａが形成され、蓋板２４には、軸挿通孔２４ｂが形成される軸保持部２４ａが形成されている。ヒンジ部３５は、さらに、軸保持部２４ａ、２６ａからのヒンジ軸３８の抜けを防止するために径方向の外側へ突出する抜止めネジ４０を備えている。この抜止めネジ４０は、蓋板２４が閉じているときにカード収容カセットの内部に配置され、抜止めネジ４０がカード収容カセットの外部に露出しないように側板２３および蓋板２４に接触してヒンジ軸３８の回動範囲を規制する。【選択図】図５
2014232463.tif 000002
【特許請求の範囲】
【請求項１】
複数枚のカードが積層されて収容されるカード収容カセットにおいて、
少なくとも前記カード収容カセットの側面の一部を構成する側板と、前記側板で画定されるとともに前記カード収容カセット内への前記カードの入り口となる開口部と、前記開口部を塞ぐ蓋板と、前記側板に対して前記蓋板が開閉可能となるように前記側板と前記蓋板とを連結するヒンジ部とを備え、
前記ヒンジ部は、前記側板に対する前記蓋板の回動中心となるヒンジ軸と、前記側板に形成されるとともに前記ヒンジ軸を保持する側板側軸保持部と、前記蓋板に形成されるとともに前記ヒンジ軸を保持する蓋板側軸保持部とを備え、
前記側板側軸保持部には、前記ヒンジ軸が挿通される側板側軸挿通孔が形成され、
前記蓋板側軸保持部には、前記ヒンジ軸が挿通される蓋板側軸挿通孔が形成され、
前記ヒンジ部は、さらに、前記側板側軸保持部および前記蓋板側軸保持部からの前記ヒンジ軸の軸方向への前記ヒンジ軸の抜けを防止するための抜止めネジまたはスプリングピンからなる抜止めピンを備え、
前記ヒンジ部を構成する前記抜止めネジまたは前記抜止めピンは、前記開口部を前記蓋板が塞いでいるときに前記カード収容カセットの内部に配置されるとともに、前記ヒンジ軸の径方向の外側へ突出しており、前記開口部を前記蓋板が塞いでいるときに前記抜止めネジまたは前記抜止めピンが前記カード収容カセットの外部に露出しないように前記側板および前記蓋板に接触して前記ヒンジ軸の軸中心を回動の中心とする前記ヒンジ軸の回動範囲を規制することを特徴とするカード収容カセット。
【請求項２】
前記ヒンジ部は、前記ヒンジ軸の両端側のそれぞれを保持する２個の前記側板側軸保持部と、前記ヒンジ軸の両端側のそれぞれを保持する２個の前記蓋板側軸保持部と、２個の前記側板側軸保持部および前記蓋板側軸保持部の間に配置される筒状の筒状部材とを備え、
前記筒状部材の外径は、前記側板側軸挿通孔の内径および前記蓋板側軸挿通孔の内径よりも大きくなっており、
前記ヒンジ軸は、前記筒状部材に挿通され、
前記抜止めネジまたは前記抜止めピンは、前記筒状部材に対する前記ヒンジ軸の前記軸方向への相対移動を防止することで前記側板側軸保持部および前記蓋板側軸保持部からの前記軸方向への前記ヒンジ軸の抜けを防止し、かつ、前記筒状部材に対する前記ヒンジ軸の前記軸中心を回動の中心とする相対回動を防止するとともに、前記開口部を前記蓋板が塞いでいるときに前記軸中心を回動の中心とする前記筒状部材および前記ヒンジ軸の回動範囲を規制することを特徴とする請求項１記載のカード収容カセット。
【請求項３】
前記ヒンジ部は、前記抜止めネジを備え、
前記筒状部材には、前記抜止めネジに係合するメネジが形成されるネジ孔が、前記筒状部材の外周面と内周面との間で前記径方向に貫通するように形成され、
前記ヒンジ軸には、前記抜止めネジの先端が接触する平面状の接触面が形成されていることを特徴とする請求項２記載のカード収容カセット。
【請求項４】
前記ヒンジ部は、前記ヒンジ軸の両端側のそれぞれを保持する２個の前記側板側軸保持部と、前記ヒンジ軸の両端側のそれぞれを保持する２個の前記蓋板側軸保持部とを備え、
前記抜止めネジまたは前記抜止めピンは、前記ヒンジ軸の外周面から前記径方向の外側へ突出するように前記ヒンジ軸に取り付けられるとともに、前記側板側軸保持部または前記蓋板側軸保持部に接触することで前記側板側軸保持部および前記蓋板側軸保持部からの前記軸方向への前記ヒンジ軸の抜けを防止することを特徴とする請求項１記載のカード収容カセット。
【請求項５】
前記ヒンジ部は、前記ヒンジ軸の両端側のそれぞれを保持する２個の前記側板側軸保持部と、前記ヒンジ軸の両端側のそれぞれを保持する２個の前記蓋板側軸保持部とを備え、
前記ヒンジ軸の一端側には、２個の前記側板側軸保持部のうちの一方の前記側板側軸保持部または２個の前記蓋板側軸保持部のうちの一方の前記蓋板側軸保持部の、前記軸方向における内側面に当接する段差面が形成されていることを特徴とする請求項１から４のいずれかに記載のカード収容カセット。
【請求項６】
前記側板側軸保持部および前記蓋板側軸保持部は、前記側板の外周面よりも前記カード収容カセットの外周側へ突出していることを特徴とする請求項１から５のいずれかに記載のカード収容カセット。
【請求項７】
前記蓋板に取り付けられ、前記側板に対して前記蓋板が開かないように前記蓋板をロックする錠を備えることを特徴とする請求項１から６のいずれかに記載のカード収容カセット。
【請求項８】
請求項１から７のいずれかに記載のカード収容カセットと、前記カード収容カセットが着脱可能なカード収容部本体と、前記カード収容カセットの外部へ前記カードを送り出すカード送出機構とを備えることを特徴とするカード発行装置。
【発明の詳細な説明】
【技術分野】
【０００１】
本発明は、複数枚のカードが積層されて収容されるカード収容カセットに関する。また、本発明は、かかるカード収容カセットを有するカード発行装置に関する。
【背景技術】
【０００２】
従来、複数枚のカードが積層されて収容されるカード収容カセットが知られている（たとえば、特許文献１参照）。特許文献１に記載のカード収容カセットは、カード発行装置に取り付けられて使用されている。また、このカード収容カセットは、図１０に示すように、カードの四辺を規制して鉛直方向へカードを整列させる側板１０１と、側板１０１の上端に形成されるカードの入口を塞ぐ蓋板１０２とを備えている。側板１０１と蓋板１０２とは、ヒンジ部１０３によって連結されており、蓋板１０２は、側板１０１に対して開閉可能となっている。蓋板１０２には、側板１０１に対して蓋板１０２が開かないように蓋板１０２をロックする錠１０４が取り付けられている。また、蓋板１０２には、取手（図示省略）が取り付けられている。
【０００３】
ヒンジ部１０３は、側板１０１に対する蓋板１０２の回動中心となるヒンジ軸１０５を備えている。側板１０１には、ヒンジ軸１０５の両端側のそれぞれを保持する２個の保持部１０１ａが形成され、蓋板１０２には、ヒンジ軸１０５の両端側のそれぞれを保持する２個の保持部１０２ａが形成されている。保持部１０１ａ、１０２ａは、側板１０１の外周面よりも外側へ突出している。また、保持部１０１ａ、１０２ａには、ヒンジ軸１０５が挿通される貫通孔が形成されている。保持部１０１ａ、１０２ａからヒンジ軸１０５を簡単に取り外すことができないように、ヒンジ軸１０５の一端側は、たとえば、保持部１０１ａにカシメ固定されている。
【０００４】
特許文献１に記載のカード収容カセットでは、錠１０４を開けなければ、蓋板１０２を開いてカード収容カセットの中からカードを取り出すことができない。また、特許文献１に記載のカード収容カセットでは、側板１０１と蓋板１０２とを連結するヒンジ部１０３のヒンジ軸１０５が側板１０１の保持部１０１ａにカシメ固定されているため、ドリル等の工具を用いてヒンジ軸１０５等を破壊しなければ、側板１０１から蓋板１０２を取り外してカード収容カセットの中からカードを取り出すことができない。したがって、特許文献１に記載のカード収容カセットを用いれば、カード発行装置が設置される現場で作業を行う作業者等によるカード収容カセットからのカードの不正な抜取りを防止することが可能になる。
【先行技術文献】
【特許文献】
【０００５】
【特許文献１】特開２００７−１７９４２６号公報
【発明の概要】
【発明が解決しようとする課題】
【０００６】
上述のように、特許文献１に記載のカード収容カセットを用いれば、カード収容カセットからのカードの不正な抜取りを防止することが可能になる。一方、特許文献１に記載のカード収容カセットは、カード発行装置から取り外されて輸送されることがあるため、カード収容カセットを輸送する際の振動や衝撃等によって、蓋板１０２や取手に変形等の不具合が生じることがある。しかしながら、特許文献１に記載のカード収容カセットでは、ヒンジ軸１０５の一端側が保持部１０１ａにカシメ固定されているため、蓋板１０２や取手に不具合が生じたときに、蓋板１０２を簡単に交換することができない。
【０００７】
そこで、本発明の課題は、蓋板の交換を容易に行うことが可能であっても、カードの不正な抜取りを防止することが可能なカード収容カセットを提供することにある。また、本発明の課題は、かかるカード収容カセットを備えるカード発行装置を提供することにある。
【課題を解決するための手段】
【０００８】
上記の課題を解決するため、本発明のカード収容カセットは、複数枚のカードが積層されて収容されるカード収容カセットにおいて、少なくともカード収容カセットの側面の一部を構成する側板と、側板で画定されるとともにカード収容カセット内へのカードの入り口となる開口部と、開口部を塞ぐ蓋板と、側板に対して蓋板が開閉可能となるように側板と蓋板とを連結するヒンジ部とを備え、ヒンジ部は、側板に対する蓋板の回動中心となるヒンジ軸と、側板に形成されるとともにヒンジ軸を保持する側板側軸保持部と、蓋板に形成されるとともにヒンジ軸を保持する蓋板側軸保持部とを備え、側板側軸保持部には、ヒンジ軸が挿通される側板側軸挿通孔が形成され、蓋板側軸保持部には、ヒンジ軸が挿通される蓋板側軸挿通孔が形成され、ヒンジ部は、さらに、側板側軸保持部および蓋板側軸保持部からのヒンジ軸の軸方向へのヒンジ軸の抜けを防止するための抜止めネジまたはスプリングピンからなる抜止めピンを備え、ヒンジ部を構成する抜止めネジまたは抜止めピンは、開口部を蓋板が塞いでいるときにカード収容カセットの内部に配置されるとともに、ヒンジ軸の径方向の外側へ突出しており、開口部を蓋板が塞いでいるときに抜止めネジまたは抜止めピンがカード収容カセットの外部に露出しないように側板および蓋板に接触してヒンジ軸の軸中心を回動の中心とするヒンジ軸の回動範囲を規制することを特徴とする。
【０００９】
本発明のカード収容カセットでは、ヒンジ軸を保持する側板側軸保持部が側板に形成され、ヒンジ軸を保持する蓋板側軸保持部が蓋板に形成されている。また、側板側軸保持部には、ヒンジ軸が挿通される側板側軸挿通孔が形成され、蓋板側軸保持部には、ヒンジ軸が挿通される蓋板側軸挿通孔が形成されている。さらに、ヒンジ軸の径方向の外側へ突出する抜止めネジまたは抜止めピンによって、側板側軸保持部および蓋板側軸保持部からのヒンジ軸の軸方向へのヒンジ軸の抜けが防止されている。そのため、本発明では、抜止めネジまたはスプリングピンである抜止めピンを取り外せば、側板側軸保持部および蓋板側軸保持部から軸方向へヒンジ軸を抜くことが可能になり、また、ヒンジ軸を抜くことで、側板から蓋板を取り外すことが可能になる。すなわち、本発明では、ヒンジ軸等を破壊しなくても、抜止めネジまたは抜止めピンを取り外せば、側板から蓋板を取り外すことが可能になる。したがって、本発明では、蓋板の交換を容易に行うことが可能になる。
【００１０】
また、本発明のカード収容カセットでは、抜止めネジまたは抜止めピンが、開口部を蓋板が塞いでいるときにカード収容カセットの内部に配置されるとともに、ヒンジ軸の径方向の外側へ突出しており、開口部を蓋板が塞いでいるときに抜止めネジまたは抜止めピンがカード収容カセットの外部に露出しないように側板および蓋板に接触してヒンジ軸の軸中心を回動の中心とするヒンジ軸の回動範囲を規制する。そのため、本発明では、開口部を蓋板が塞いでいるときに、抜止めネジまたは抜止めピンはカード収容カセットの外部に露出しない。したがって、本発明では、開口部を蓋板が塞いでいる状態で、抜止めネジまたは抜止めピンを取り外して側板側軸保持部および蓋板側軸保持部からヒンジ軸を抜き、側板から蓋板を取り外すことはできない。その結果、本発明では、蓋板の交換を容易に行うことが可能であっても、カード収容カセットからのカードの不正な抜取りを防止することが可能になる。
【００１１】
本発明において、たとえば、ヒンジ部は、ヒンジ軸の両端側のそれぞれを保持する２個の側板側軸保持部と、ヒンジ軸の両端側のそれぞれを保持する２個の蓋板側軸保持部と、２個の側板側軸保持部および蓋板側軸保持部の間に配置される筒状の筒状部材とを備え、筒状部材の外径は、側板側軸挿通孔の内径および蓋板側軸挿通孔の内径よりも大きくなっており、ヒンジ軸は、筒状部材に挿通され、抜止めネジまたは抜止めピンは、筒状部材に対するヒンジ軸の軸方向への相対移動を防止することで側板側軸保持部および蓋板側軸保持部からの軸方向へのヒンジ軸の抜けを防止し、かつ、筒状部材に対するヒンジ軸の軸中心を回動の中心とする相対回動を防止するとともに、開口部を蓋板が塞いでいるときにヒンジ軸の軸中心を回動の中心とする筒状部材およびヒンジ軸の回動範囲を規制する。
【００１２】
この場合には、ヒンジ部は、抜止めネジを備え、筒状部材には、抜止めネジに係合するメネジが形成されるネジ孔が、筒状部材の外周面と内周面との間で径方向に貫通するように形成され、ヒンジ軸には、抜止めネジの先端が接触する平面状の接触面が形成されていることが好ましい。このように構成すると、抜止めネジが係合するネジ孔がヒンジ軸に形成されている場合や、抜止めピンが差し込まれる差込孔がヒンジ軸に形成されている場合と比較して、ヒンジ軸を細くすることが可能になる。したがって、ヒンジ軸を保持する側板側軸保持部および蓋板側軸保持部を小さくすることが可能になり、その結果、ヒンジ部を小型化することが可能になる。また、このように構成すると、ヒンジ軸に平面状の接触面が形成されているため、抜止めネジの先端とヒンジ軸との接触面積を大きくすることが可能になる。したがって、抜止めネジを用いて、筒状部材に対するヒンジ軸の軸方向への相対移動を確実に防止することが可能になる。また、抜止めネジを用いて、ヒンジ軸の軸中心を回動の中心とする筒状部材に対するヒンジ軸の相対回動を確実に防止することが可能になる。
【００１３】
本発明において、ヒンジ部は、ヒンジ軸の両端側のそれぞれを保持する２個の側板側軸保持部と、ヒンジ軸の両端側のそれぞれを保持する２個の蓋板側軸保持部とを備え、抜止めネジまたは抜止めピンは、ヒンジ軸の外周面から径方向の外側へ突出するようにヒンジ軸に取り付けられるとともに、側板側軸保持部または蓋板側軸保持部に接触することで側板側軸保持部および蓋板側軸保持部からの軸方向へのヒンジ軸の抜けを防止しても良い。この場合には、ヒンジ部が筒状部材を備えている場合と比較して、ヒンジ部を構成する部品の数を低減することが可能になる。
【００１４】
本発明において、ヒンジ部は、ヒンジ軸の両端側のそれぞれを保持する２個の側板側軸保持部と、ヒンジ軸の両端側のそれぞれを保持する２個の蓋板側軸保持部とを備え、ヒンジ軸の一端側には、２個の側板側軸保持部のうちの一方の側板側軸保持部または２個の蓋板側軸保持部のうちの一方の蓋板側軸保持部の、ヒンジ軸の軸方向における内側面に当接する段差面が形成されていることが好ましい。
【００１５】
このように構成すると、ヒンジ部の組立時に、段差面を用いて、軸方向におけるヒンジ軸の位置決めを容易に行うことが可能になる。したがって、たとえば、ヒンジ軸が挿通される筒状部材をヒンジ部が備え、筒状部材に、抜止めネジに係合するメネジが形成されるネジ孔が径方向に貫通するように形成され、ヒンジ軸に、抜止めネジの先端が接触する平面状の接触面が形成されている場合には、軸方向におけるネジ孔と接触面との位置合わせを容易に行うことが可能になる。
【００１６】
また、このように構成すると、段差面によって、側板側軸保持部および蓋板側軸保持部からのヒンジ軸の一端側への抜けを防止することが可能になるため、たとえば、筒状部材、抜止めネジまたは抜止めピンを用いて、側板側軸保持部および蓋板側軸保持部からのヒンジ軸の他端側への抜けを防止すれば良い。したがって、ヒンジ軸が挿通される筒状部材を用いて、側板側軸保持部および蓋板側軸保持部からのヒンジ軸の両側への抜けが防止される場合と比較して、筒状部材を軸方向で小型化することが可能になる。また、ヒンジ軸に取り付けられる抜止めネジまたは抜止めピンによって、側板側軸保持部および蓋板側軸保持部からのヒンジ軸の両側への抜けが防止される場合には、２本の抜止めネジまたは抜止めピンをヒンジ軸に取り付けなければならないが、このように構成すると、１本の抜止めネジまたは抜止めピンをヒンジ軸に取り付ければ良い。したがって、ヒンジ部を構成する部品の数を低減することが可能になる。
【００１７】
本発明において、側板側軸保持部および蓋板側軸保持部は、側板の外周面よりもカード収容カセットの外周側へ突出していることが好ましい。このように構成すると、カード収容カセットに収容されるカードと側板側軸保持部および蓋板側軸保持部との干渉を防止して、カード収容カセットに収容されるカードの枚数を増やすことが可能になる。また、このように構成すると、外周側へ突出する側板側軸保持部および蓋板側軸保持部を目印にして、カード収容カセットを、たとえば、カード発行装置に取り付けることが可能になるため、カード収容カセットの取付方向を間違えることなく、カード発行装置にカード収容カセットを容易に取り付けることが可能になる。
【００１８】
本発明において、カード収容カセットは、蓋板に取り付けられ、側板に対して蓋板が開かないように蓋板をロックする錠を備えることが好ましい。このように構成すると、錠を開けなければ、蓋板を開いてカード収容カセットの中からカードを取り出すことができない。したがって、カード収容カセットからのカードの不正な抜取りを確実に防止することが可能になる。
【００１９】
本発明において、カード収容カセットは、たとえば、カード収容カセットが着脱可能なカード収容部本体と、カード収容カセットの外部へカードを送り出すカード送出機構とを備えるカード発行装置に用いられる。このカード発行装置では、蓋板の交換を容易に行うことが可能であっても、カード収容カセットからのカードの不正な抜取りを防止することが可能になる。
【発明の効果】
【００２０】
以上のように、本発明では、蓋板の交換を容易に行うことが可能であっても、カード収容カセットからのカードの不正な抜取りを防止することが可能になる。
【図面の簡単な説明】
【００２１】
【図１】本発明の実施の形態にかかるカード発行装置の斜視図である。
【図２】図１のＥ部の拡大図である。
【図３】図１に示すカード収容カセットの平面図である。
【図４】図３のＦ−Ｆ方向からカード収容カセットの上端側を示す側面図である。
【図５】図３のＧ−Ｇ断面の断面図である。
【図６】図５のＨ−Ｈ断面の断面図である。
【図７】図５のＪ−Ｊ断面の断面図である。
【図８】本発明の他の実施の形態にかかるヒンジ部の構成を説明するための断面図である。
【図９】本発明の他の実施の形態にかかるヒンジ部の構成を説明するための断面図である。
【図１０】従来技術にかかるカード収容カセットの上端側を示す斜視図である。
【発明を実施するための形態】
【００２２】
以下、図面を参照しながら、本発明の実施の形態を説明する。
【００２３】
（カード発行装置の概略構成）
図１は、本発明の実施の形態にかかるカード発行装置１の斜視図である。本形態のカード発行装置１は、内部に収容されたカード（図示省略）を発行する機能と、不要、使用済み、あるいは、エラーとなったカード（以下、「不要なカード」とする。）を回収する機能とを備えている。このカード発行装置１は、カードに記録された情報の再生および／またはカードへの情報の記録を行うカードリーダ３と、収容されたカードを発行するとともに、不要なカードを回収するカード発行回収部４とを備えている。
【００２４】
以下の説明では、互いに直交する３方向をＸ方向、Ｙ方向およびＺ方向とする。本形態では、上下方向とＺ方向とが一致している。また、Ｙ方向を左右方向とし、Ｘ方向を前後方向とするとともに、Ｘ１方向側を「前」側、Ｘ２方向側を「後（後ろ）」側、Ｙ１方向側を「右」側、Ｙ２方向側を「左」側とする。また、本形態では、Ｚ方向は、カード発行回収部４に収容されたカードの厚さ方向と一致し、Ｙ方向は、カード発行回収部４に収容されたカードの幅方向（短手幅方向）と一致し、Ｘ方向は、カード発行回収部４に収容されたカードの長さ方向（長手幅方向）と一致している。
【００２５】
本形態のカードは、たとえば、厚さが０．７〜０．８ｍｍ程度の矩形状の塩化ビニール製のカードである。このカードには、たとえば、磁気情報が記録される磁気ストライプが形成されている。なお、カードには、ＩＣチップが内蔵されても良いし、通信用のアンテナが内蔵されても良い。また、カードには、感熱方式によって印字が行われる印字部が形成されても良い。さらに、カードは、厚さが０．１８〜０．３６ｍｍ程度のＰＥＴ（ポリエチレンテレフタレート）カードや、所定の厚さの紙カード等であっても良い。
【００２６】
カードリーダ３は、カード発行回収部４の前側に配置されている。カード発行回収部４は、発行前のカードが収容されるカード収容部７と、不要なカードが回収されるカード回収部８とを備えている。カード回収部８は、上下方向でカード収容部７に重なるようにカード収容部７の下側に配置されている。
【００２７】
また、カード発行回収部４は、カード発行回収部４の左右の側面を構成する２枚の側面部１０と、カード発行回収部４の上端側の前面を構成する前面部１１と、カード発行回収部４の上端側の後面を構成する後面部１２と、上下方向に平行な平面状に形成され上下方向におけるカード発行回収部４の中間位置に配置されるベース部１３とを備えている。側面部１０の上端側部分と前面部１１と後面部１２とベース部１３とによって、カード収容部７の本体であるカード収容部本体１４が構成されている。また、側面部１０の下端側部分とカード発行装置１のベース板１５の後端側部分とベース部１３とによって、カード回収部８が構成されている。
【００２８】
カード収容部７は、カード収容部本体１４に加え、発行前の複数枚のカードが上下方向に積層されて収容されるカード収容カセット１７と、カード収容カセット１７に収容された複数枚のカードの中で一番下に収容されているカードをカード収容カセット１７の外部へ送り出すカード送出機構とを備えている。カード送出機構は、たとえば、カード収容カセット１７に収容された一番下のカードの後端に係合するとともに、カード収容カセット１７からカードを１枚ずつ送り出す送出爪およびこの送出爪を駆動する爪駆動機構等によって構成されている。
【００２９】
カード収容カセット１７は、略直方体状に形成されるとともに、内部にカードが収容可能となるように中空状に形成されている。このカード収容カセット１７は、カード収容部本体１４に着脱可能となっている。また、カード収容カセット１７は、カード収容カセット１７の底面を構成するとともに収容されたカードが載る底板２２と、カード収容カセット１７の前後左右の側面を構成する側板２３と、カード収容カセット１７の上面を構成する蓋板２４とを備えている。側板２３の上端には、開口部が形成されている。すなわち、側板２３の上端によって開口部が画定されている。蓋板２４は、この開口部を塞いでいる。
【００３０】
底板２２には、カード送出機構を構成する送出爪が通過する通過溝が形成されている。側板２３は、カード収容カセット１７の右側面を構成する側面部２６と、カード収容カセット１７の左側面を構成する側面部２７と、カード収容カセット１７の前面を構成する前面部２８と、カード収容カセット１７の後面を構成する後面部２９（図３参照）とを備えている。側板２３の上端に形成される開口部は、カード収容カセット１７内へのカードの入り口となっている。蓋板２４は、側面部２６に回動可能に取り付けられており、側板２３に対して開閉可能となっている。すなわち、カード収容カセット１７の上面は、開閉可能となっている。
【００３１】
前面部２８は、上下方向へ移動可能なシャッタ部材３２を備えている。シャッタ部材３２は、前面部２８の下端側に配置されている。カード収容カセット１７がカード収容部本体１４から取り外されているときには、シャッタ部材３２の下端が底板２２の下面よりも下側へ下がった状態で、シャッタ部材３２がロックされており、カード収容カセット１７の前側へカードを取り出すことができないようになっている。一方、カード収容カセット１７がカード収容部本体１４に取り付けられると、カード収容部本体１４の前面部１１に設けられたシャッタ開放部材（図示省略）の作用で、シャッタ部材３２が上側へ移動して、底板２２とシャッタ部材３２の下端との間に、カード収容カセット１７に収容されるカードがカード収容カセット１７の外側へ向かって（前側に向かって）通過するゲートが形成される。このゲートの上下方向の隙間は、１枚のカードは通過できるが、２枚のカードが重なった状態で通過できないように設定されている。
【００３２】
（カード収容カセットの上端側の構成）
図２は、図１のＥ部の拡大図である。図３は、図１に示すカード収容カセット１７の平面図である。図４は、図３のＦ−Ｆ方向からカード収容カセット１７の上端側を示す側面図である。図５は、図３のＧ−Ｇ断面の断面図である。図６は、図５のＨ−Ｈ断面の断面図である。図７は、図５のＪ−Ｊ断面の断面図である。
【００３３】
上述のように、蓋板２４は、側板２３に対して開閉可能となっている。カード収容カセット１７は、側板２３に対して蓋板２４が開閉可能となるように、側板２３の側面部２６と蓋板２４とを繋ぐヒンジ部３５を備えている。また、カード収容カセット１７は、側板２３に対して蓋板２４が開かないように蓋板２４をロックする錠３６と、カード収容カセット１７を持ち運びするための取手３７とを備えている。錠３６は、蓋板２４に取り付けられており、図示を省略する鍵によって開閉される。取手３７は、蓋板２４の上面に取り付けられている。
【００３４】
ヒンジ部３５は、側面部２６に対する蓋板２４の回動中心となるヒンジ軸３８と、側面部２６に形成されるとともにヒンジ軸３８を保持する側板側軸保持部としての２個の軸保持部２６ａと、蓋板２４に形成されるとともにヒンジ軸３８を保持する蓋板側軸保持部としての２個の軸保持部２４ａとを備えている。ヒンジ軸３８は、前後方向を軸方向として軸保持部２４ａ、２６ａに保持されている。軸保持部２６ａには、ヒンジ軸３８が挿通される側板側軸挿通孔としての軸挿通孔２６ｂが形成され、軸保持部２４ａには、ヒンジ軸３８が挿通される蓋板側軸挿通孔としての軸挿通孔２４ｂが形成されている。また、ヒンジ部３５は、２個の軸保持部２４ａ、２６ａの間に配置される筒状部材としてのスリーブ３９と、軸保持部２４ａ、２６ａからの前後方向へのヒンジ軸３８の抜けを防止するための抜止めネジ４０とを備えている。
【００３５】
ヒンジ軸３８は、段付きの細長い略円柱状に形成されており、大径部３８ａと、大径部３８ａよりも外径の小さな小径部３８ｂとから構成されている。小径部３８ｂの長さは、大径部３８ａの長さよりも大幅に短くなっており、小径部３８ｂは、ヒンジ軸３８の前端部分を構成している。大径部３８ａと小径部３８ｂとの境界には、前後方向に直交する段差面３８ｃが形成されている。ヒンジ軸３８の軸方向の略中心位置には、抜止めネジ４０の先端が接触する平面状の接触面３８ｄが形成されている。接触面３８ｄは、大径部３８ａの外周面の一部を削ることで形成されている。
【００３６】
軸保持部２６ａは、側面部２６の上端側に形成されている。また、軸保持部２６ａは、前後方向に直交する平板状に形成されている。２個の軸保持部２６ａは、前後方向に所定の間隔をあけた状態で形成されており、２個の軸保持部２６ａのそれぞれは、ヒンジ軸３８の両端側のそれぞれを保持している。また、２個の軸保持部２６ａは、側面部２６の上端側の一部が右側に向かって直角に切り起こされることで形成されており、側板２３の外周面よりも右側へ突出している。すなわち、２個の軸保持部２６ａは、側板２３の外周面よりもカード収容カセット１７の外周側へ突出している。
【００３７】
前側に配置される軸保持部２６ａに形成される軸挿通孔２６ｂの内径の大きさは、ヒンジ軸３８の小径部３８ｂの外径に応じた大きさとなっている。具体的には、この軸挿通孔２６ｂの内径は、小径部３８ｂの外径よりもわずかに大きくなっている。前側に配置される軸保持部２６ａの、前後方向における内側面（すなわち、後面）には、ヒンジ軸３８の段差面３８ｃが当接可能となっている。また、後ろ側に配置される軸保持部２６ａに形成される軸挿通孔２６ｂの内径の大きさは、ヒンジ軸３８の大径部３８ａの外径に応じた大きさとなっている。具体的には、この軸挿通孔２６ｂの内径は、大径部３８ａの外径よりもわずかに大きくなっている。
【００３８】
側面部２６の上端側には、蓋板２４が開く方向（図７の反時計方向）における蓋板２４の回動範囲を規制するためのストッパ部２６ｃが形成されている。ストッパ部２６ｃは、上下方向に直交する平面状に形成されている。また、ストッパ部２６ｃは、側面部２６の上端側の一部が右側に向かって直角に切り起こされることで形成されており、側板２３の外周面よりも右側へ突出している。このストッパ部２６ｃは、前後方向において、２個の軸保持部２６ａの間に配置されるとともに、２個の軸保持部２６ａよりも下側に配置されている。側面部２６の上端側には、図４に示すように、軸保持部２６ａおよびストッパ部２６ｃを形成するための切欠き部２６ｄが形成されている。
【００３９】
蓋板２４には、蓋板２４が閉じている状態において、右側へ突出する突出部２４ｃが形成されている。２個の軸保持部２４ａのそれぞれは、蓋板２４が閉じている状態において、突出部２４ｃの前後の両端のそれぞれから下側へ突出するように形成されている。軸保持部２４ａは、前後方向に直交する平板状に形成されている。２個の軸保持部２４ａは、前後方向に所定の間隔をあけた状態で形成されており、２個の軸保持部２４ａのそれぞれは、ヒンジ軸３８の両端側のそれぞれを保持している。前後方向における２個の軸保持部２４ａの間隔は、前後方向における２個の軸保持部２６ａの間隔よりもわずかに狭くなっており、２個の軸保持部２４ａは、前後方向において、２個の軸保持部２６ａの間に配置されている。
【００４０】
２個の軸保持部２４ａに形成される軸挿通孔２４ｂの内径の大きさは、ヒンジ軸３８の大径部３８ａの外径に応じた大きさとなっている。具体的には、軸挿通孔２４ｂの内径は、大径部３８ａの外径よりもわずかに大きくなっている。突出部２４ｃは、側板２３の外周面よりも右側へ突出しており、２個の軸保持部２４ａも、側板２３の外周面よりも右側へ突出している。すなわち、２個の軸保持部２４ａは、側板２３の外周面よりもカード収容カセット１７の外周側へ突出している。
【００４１】
スリーブ３９は、略円筒状に形成されている。このスリーブ３９は、前後方向を軸方向として、２個の軸保持部２４ａの間に配置されている。スリーブ３９の長さ（前後方向の長さ）は、前後方向における２個の軸保持部２４ａの間隔よりもわずかに狭くなっている。スリーブ３９には、ヒンジ軸３８が挿通されており、スリーブ３９の内径は、ヒンジ軸３８の大径部３８ａの外径よりも大きくなっている。すなわち、スリーブ３９の外径は、軸保持部２４ａ、２６ａに形成される軸挿通孔２４ｂ、２６ｂの内径よりも大きくなっている。前後方向におけるスリーブ３９の略中心位置には、スリーブ３９の外周面と内周面との間でスリーブ３９の径方向へ貫通するネジ孔３９ａが形成されている。ネジ孔３９ａには、抜止めネジ４０に係合するメネジが形成されている。
【００４２】
抜止めネジ４０は、オネジが形成されるネジ部の外径とネジ頭部の外径とが等しい六角穴付き止めネジである。この抜止めネジ４０は、スリーブ３９のネジ孔３９ａに係合しており、抜止めネジ４０の先端は、ヒンジ軸３８の接触面３８ｄに接触している。そのため、抜止めネジ４０によって、スリーブ３９に対するヒンジ軸３８の前後方向への相対移動が防止されるとともに、ヒンジ軸３８の軸中心を回動の中心とするスリーブ３９に対するヒンジ軸３８の相対回動が防止されている。なお、抜止めネジ４０は、ネジ部の外径よりもネジ頭部の外径が大きな十字穴付きネジであっても良い。
【００４３】
上述のように、２個の軸保持部２４ａの間に配置されるスリーブ３９の長さは、前後方向における２個の軸保持部２４ａの間隔よりもわずかに狭くなっている。本形態では、前後方向における軸保持部２４ａの内側面にスリーブ３９の端部が当接することで、スリーブ３９の前後方向への移動が規制されている。また、抜止めネジ４０によって、スリーブ３９に対するヒンジ軸３８の前後方向への相対移動が防止されているため、軸保持部２４ａ、２６ａからの前後両方向へのヒンジ軸３８の抜けが防止される。すなわち、本形態では、抜止めネジ４０は、スリーブ３９に対するヒンジ軸３８の前後方向への相対移動を防止することで軸保持部２４ａ、２６ａからの前後方向へのヒンジ軸３８の抜けを防止している。
【００４４】
抜止めネジ４０は、側板２３の上端の開口部を蓋板２４が塞いでいるときに、カード収容カセット１７の内部に配置されている。また、図６、図７に示すように、抜止めネジ４０のネジ頭部側は、スリーブ３９の外周面よりも外周側へ突出している。本形態では、ヒンジ軸３８およびスリーブ３９が軸保持部２４ａ、２６ａに対してヒンジ軸３８の軸中心を回動の中心とする相対回動をしたときに、抜止めネジ４０のネジ頭部側が側面部２６のストッパ部２６ｃおよび蓋板２４の突出部２４ｃに接触可能となるように、抜止めネジ４０はスリーブ３９に取り付けられている。
【００４５】
そのため、抜止めネジ４０と、ストッパ部２６ｃおよび突出部２４ｃとによって、ヒンジ軸３８の軸中心を回動の中心とするヒンジ軸３８およびスリーブ３９の回動範囲が規制されており、側板２３の上端の開口部を蓋板２４が塞いでいるときに、抜止めネジ４０がカード収容カセット１７の外部に露出することはない。すなわち、抜止めネジ４０は、側板２３の上端の開口部を蓋板２４が塞いでいるときに抜止めネジ４０がカード収容カセット１７の外部に露出しないように側板２３および蓋板２４に接触してヒンジ軸３８の軸中心を回動の中心とするヒンジ軸３８およびスリーブ３９の回動範囲を規制する。
【００４６】
（本形態の主な効果）
以上説明したように、本形態では、ヒンジ軸３８を保持する軸保持部２６ａが側板２３に形成され、ヒンジ軸３８を保持する軸保持部２４ａが蓋板２４に形成されている。また、本形態では、軸保持部２４ａ、２６ａに、ヒンジ軸３８が挿通される軸挿通孔２４ｂ、２６ｂが形成され、抜止めネジ４０によって、軸保持部２４ａ、２６ａからの前後方向へのヒンジ軸３８の抜けが防止されている。そのため、本形態では、蓋板２４を開いた状態で、抜止めネジ４０を取り外せば、軸保持部２４ａ、２６ａから後ろ方向へヒンジ軸３８を抜くことができ、また、ヒンジ軸３８を抜くことで、側板２３から蓋板２４を取り外すことができる。すなわち、本形態では、ヒンジ軸３８等を破壊しなくても、抜止めネジ４０を取り外せば、側板２３から蓋板２４を取り外すことができる。したがって、本形態では、蓋板２４の交換を容易に行うことが可能になる。
【００４７】
本形態では、抜止めネジ４０は、側板２３の上端の開口部を蓋板２４が塞いでいるときにカード収容カセット１７の内部に配置されるとともに、抜止めネジ４０のネジ頭部側は、スリーブ３９の外周面よりも外周側へ突出している。また、本形態では、抜止めネジ４０は、側板２３の上端の開口部を蓋板２４が塞いでいるときに抜止めネジ４０がカード収容カセット１７の外部に露出しないようにストッパ部２６ｃおよび突出部２４ｃに接触してヒンジ軸３８の軸中心を回動の中心とするヒンジ軸３８およびスリーブ３９の回動範囲を規制する。そのため、本形態では、蓋板２４が閉じているときに、抜止めネジ４０がカード収容カセット１７の外部に露出しない。したがって、本形態では、蓋板２４が閉じている状態で、抜止めネジ４０を取り外して軸保持部２４ａ、２６ａからヒンジ軸３８を抜き、側板２３から蓋板２４を取り外すことはできない。また、本形態では、カード収容カセット１７に錠３６が設けられているため、鍵がなければ、蓋板２４を開けることはできない。その結果、本形態では、蓋板２４の交換を容易に行うことが可能であっても、カード収容カセット１７からのカードの不正な抜取りを防止することが可能になる。
【００４８】
本形態では、スリーブ３９にネジ孔３９ａが形成され、ヒンジ軸３８に接触面３８ｄが形成されている。そのため、本形態では、抜止めネジ４０が係合するネジ孔がヒンジ軸３８に形成されている場合と比較して、ヒンジ軸３８を細くすることが可能になる。すなわち、ネジ孔がヒンジ軸３８に形成される場合には、ヒンジ軸３８の外径が大きくなければ、ヒンジ軸３８にネジ孔を形成することは困難であるが、本形態では、ヒンジ軸３８にネジ孔を形成する必要がないため、ヒンジ軸３８を細くすることが可能になる。したがって、本形態では、ヒンジ軸３８を保持する軸保持部２４ａ、２６ａを小さくすることが可能になり、その結果、ヒンジ部３５を小型化することが可能になる。
【００４９】
また、本形態では、ヒンジ軸３８に平面状の接触面３８ｄが形成されているため、抜止めネジ４０の先端とヒンジ軸３８との接触面積を大きくすることが可能になる。したがって、本形態では、抜止めネジ４０を用いて、スリーブ３９に対するヒンジ軸３８の前後方向への相対移動を確実に防止することが可能になるとともに、ヒンジ軸３８の軸中心を回動の中心とするスリーブ３９に対するヒンジ軸３８の相対回動を確実に防止することが可能になる。
【００５０】
本形態では、ヒンジ軸３８に段差面３８ｃが形成されており、この段差面３８ｃは、前側に配置される軸保持部２６ａの後面に当接可能となっている。そのため、本形態では、ヒンジ部３５の組立時に、段差面３８ｃを用いて、前後方向におけるヒンジ軸３８の位置決めを容易に行うことが可能になる。したがって、本形態では、スリーブ３９のネジ孔３９ａとヒンジ軸３８の接触面３８ｄとの前後方向の位置合わせを容易に行うことが可能になる。その結果、本形態では、抜止めネジ４０の取付作業が容易になる。
【００５１】
本形態では、軸保持部２４ａ、２６ａは、側板２３の外周面よりも右側へ突出している。そのため、本形態では、カード収容カセット１７に収容されるカードと軸保持部２４ａ、２６ａとの干渉を防止して、カード収容カセット１７に収容されるカードの枚数を増やすことが可能になる。また、本形態では、軸保持部２４ａ、２６ａを目印にして、カード収容カセット１７をカード収容部本体１４に取り付けることができるため、カード収容カセット１７の取付方向を間違えることなく、カード収容部本体１４にカード収容カセット１７を容易に取り付けることが可能になる。
【００５２】
（他の実施の形態）
上述した形態は、本発明の好適な形態の一例ではあるが、これに限定されるものではなく本発明の要旨を変更しない範囲において種々変形実施が可能である。
【００５３】
上述した形態では、２個の軸保持部２４ａの間に配置されるスリーブ３９の長さが、前後方向における２個の軸保持部２４ａの間隔よりもわずかに狭くなっており、かつ、抜止めネジ４０によって、スリーブ３９に対するヒンジ軸３８の前後方向への相対移動が防止されることで、軸保持部２４ａ、２６ａからの前後両方向へのヒンジ軸３８の抜けが防止されている。この他にもたとえば、上述した形態においては、ヒンジ軸３８に形成される段差面３８ｃと前側に配置される軸保持部２６ａの後面とによって、軸保持部２４ａ、２６ａからの前方向へのヒンジ軸３８の抜けを防止することが可能であるため、スリーブ３９よりも長さの短いスリーブが、後ろ側に配置される軸保持部２６ａの前側に配置されても良い。この場合には、スリーブ３９よりも長さの短いスリーブと後ろ側に配置される軸保持部２６ａの前面とが当接することで軸保持部２４ａ、２６ａからの後ろ方向へのヒンジ軸３８の抜けが防止される。すなわち、前側に配置される軸保持部２６ａの後面と段差面３８ｃを用いて、軸保持部２４ａ、２６ａからの前方向へのヒンジ軸３８の抜けを防止するとともに、スリーブ３９よりも長さの短いスリーブと後ろ側に配置される軸保持部２６ａの前面とを用いて、軸保持部２４ａ、２６ａからの後ろ方向へのヒンジ軸３８の抜けを防止しても良い。
【００５４】
また、図８に示すように、スリーブ３９を設けずに、ヒンジ軸３８の外周面から径方向の外側へ突出するようにヒンジ軸３８の後端側の１箇所に抜止めネジ４０を取り付けても良い。この場合には、抜止めネジ４０と後ろ側に配置される軸保持部２６ａの前面とが接触することで軸保持部２４ａ、２６ａからの後ろ方向へのヒンジ軸３８の抜けが防止される。すなわち、前側に配置される軸保持部２６ａの後面と段差面３８ｃを用いて、軸保持部２４ａ、２６ａからの前方向へのヒンジ軸３８の抜けを防止するとともに、ヒンジ軸３８の後端側に取り付けられる抜止めネジ４０と後ろ側に配置される軸保持部２６ａの前面とを用いて、軸保持部２４ａ、２６ａからの前方向へのヒンジ軸３８の抜けを防止しても良い。この場合であっても、抜止めネジ４０は、側板２３の上端の開口部を蓋板２４が塞いでいるときに抜止めネジ４０がカード収容カセット１７の外部に露出しないように側板２３および蓋板２４に接触してヒンジ軸３８の軸中心を回動の中心とするヒンジ軸３８およびスリーブ３９の回動範囲を規制する。また、この場合には、スリーブ３９を設ける場合と比較して、ヒンジ部３５を構成する部品の数を低減することが可能になる。
【００５５】
上述した形態では、ヒンジ軸３８は、段付きの細長い略円柱状に形成されている。この他にもたとえば、ヒンジ軸３８は、外径が一定な細長い略円柱状に形成されても良い。この場合には、上述した形態と同様に、スリーブ３９を設けても良いし、図９に示すように、スリーブ３９を設けずに、ヒンジ軸３８の外周面から径方向の外側へ突出するようにヒンジ軸３８の前端側と後端側の２箇所に抜止めネジ４０を取り付けても良い。この場合には、前側に配置される抜止めネジ４０と前側に配置される軸保持部２６ａの後面とが接触することで軸保持部２４ａ、２６ａからの前方向へのヒンジ軸３８の抜けが防止され、後ろ側に配置される抜止めネジ４０と後ろ側に配置される軸保持部２６ａの前面とが接触することで軸保持部２４ａ、２６ａからの後ろ方向へのヒンジ軸３８の抜けが防止される。この場合であっても、抜止めネジ４０は、側板２３の上端の開口部を蓋板２４が塞いでいるときに抜止めネジ４０がカード収容カセット１７の外部に露出しないように側板２３および蓋板２４に接触してヒンジ軸３８の軸中心を回動の中心とするヒンジ軸３８およびスリーブ３９の回動範囲を規制する。
【００５６】
上述した形態では、抜止めネジ４０のオネジが係合するネジ孔３９ａがスリーブ３９に形成され、ヒンジ軸３８に接触面３８ｄが形成されている。この他にもたとえば、抜止めネジ４０のネジ部が挿通される挿通孔がスリーブ３９に形成され、抜止めネジ４０のオネジが係合するネジ孔がヒンジ軸３８に形成されても良い。
【００５７】
上述した形態では、ヒンジ部３５は、軸保持部２４ａ、２６ａからの前後方向へのヒンジ軸３８の抜けを防止するための抜止めネジ４０を備えている。この他にもたとえば、ヒンジ部３５は、抜止めネジ４０に代えて、スプリングピンからなる抜止めピンを備えていても良い。この場合には、スリーブ３９の外周面と内周面との間でスリーブ３９の径方向へ貫通する抜止めピンの挿入孔がスリーブ３９に形成され、抜止めピンの先端側が挿入される挿入孔がヒンジ軸３８に形成される。この場合であっても、抜止めピンを取り外せば、軸保持部２４ａ、２６ａから後ろ方向へヒンジ軸３８を抜くことができ、また、ヒンジ軸３８を抜くことで、側板２３から蓋板２４を取り外すことができるため、蓋板２４の交換を容易に行うことが可能になる。また、図８、図９に示す変形例において、抜止めネジ４０に代えて、スプリングピンからなる抜止めピンが使用されても良い。
【００５８】
上述した形態では、２個の軸保持部２４ａに形成される軸挿通孔２４ｂの内径の大きさは、ヒンジ軸３８の大径部３８ａの外径に応じた大きさとなっている。この他にもたとえば、前側に配置される軸保持部２４ａに形成される軸挿通孔２４ｂの内径の大きさが、ヒンジ軸３８の小径部３８ｂの外径に応じた大きさとなり、後ろ側に配置される軸保持部２４ａに形成される軸挿通孔２４ｂの内径の大きさが、ヒンジ軸３８の大径部３８ａの外径に応じた大きさとなっていても良い。この場合には、前側に配置される軸保持部２４ａの後面にヒンジ軸３８の段差面３８ｃが当接可能となる。
【００５９】
上述した形態では、２個の軸保持部２４ａは、前後方向において、２個の軸保持部２６ａの間に配置されている。この他にもたとえば、２個の軸保持部２６ａが、前後方向において、２個の軸保持部２４ａの間に配置されても良い。この場合には、たとえば、前側に配置される軸保持部２４ａに形成される軸挿通孔２４ｂの内径の大きさが、ヒンジ軸３８の小径部３８ｂの外径に応じた大きさとなり、後ろ側に配置される軸保持部２４ａに形成される軸挿通孔２４ｂの内径の大きさが、ヒンジ軸３８の大径部３８ａの外径に応じた大きさとなる。また、たとえば、２個の軸保持部２６ａに形成される軸挿通孔２６ｂの内径の大きさは、大径部３８ａの外径に応じた大きさとなる。この場合には、前側に配置される軸保持部２４ａの後面にヒンジ軸３８の段差面３８ｃが当接可能となる。
【００６０】
上述した形態では、カード収容カセット１７は、カード収容カセット１７の前後左右の側面を構成する側板２３と、カード収容カセット１７の上面を構成するとともに側板２３の上端の開口部を塞ぐ蓋板２４とを備えている。この他にもたとえば、カード収容カセット１７の前後左右の側面およびカード収容カセット１７の上面を構成するとともに前後左右の側面の一部にカード収容カセット１７内へのカードの入り口となる開口部が形成される側板と、側板に形成された開口部を塞ぐ蓋板とをカード収容カセット１７が備えていても良い。この場合には、この側板と蓋板とは、上述した形態のヒンジ部３５と同様に構成されるヒンジ部によって連結される。
【００６１】
上述した形態では、カード発行装置１は、カードリーダ３を備えている。この他にもたとえば、カード発行装置１は、カードリーダ３に代えて、カードの搬送方向を切り替える切替装置、カードの表面に印字を行うプリンタ、カードの表面の印字等を読み取るイメージセンサ、あるいは、カードの搬送のみを行う搬送路を備えていても良い。
【符号の説明】
【００６２】
１  カード発行装置
１４  カード収容部本体
１７  カード収容カセット
２３  側板
２４  蓋板
２４ａ  軸保持部（蓋板側軸保持部）
２４ｂ  軸挿通孔（蓋板側軸挿通孔）
２６ａ  軸保持部（側板側軸保持部）
２６ｂ  軸挿通孔（側板側軸挿通孔）
３５  ヒンジ部
３６  錠
３８  ヒンジ軸
３８ｃ  段差面
３８ｄ  接触面
３９  スリーブ（筒状部材）
３９ａ  ネジ孔
４０  抜止めネジ
Ｘ  ヒンジ軸の軸方向
【図１】
2014232463.tif 000003
【図２】
2014232463.tif 000004
【図３】
2014232463.tif 000005
【図４】
2014232463.tif 000006
【図５】
2014232463.tif 000007
【図６】
2014232463.tif 000008
【図７】
2014232463.tif 000009
【図８】
2014232463.tif 000010
【図９】
2014232463.tif 000011
【図１０】
2014232463.tif 000012